(57)【特許請求の範囲】
【請求項１】
模造歯根として使用できる合釘形状のアンカー部材を収納できる複数個の空孔を設けて歯列弓に模した本体を有し、口腔内の作業を実地説明するための顎部模型において、前記アンカー部材（２；２７）が空孔（１０）内に離脱しないように設置され、前記各アンカー部材の端部が本体表面と同一面となる第１固定位置から前記端部が本体表面より突出する第２固定位置へと移動させるために前記アンカー部材を押し上げるスプリング（１４）が前記空孔の底と前記アンカー部材との間に設けられており、各アンカー部材は、前記スプリングの力に抗して前記第２固定位置から前記第１固定位置へと押し戻すことができ、ピン形状の固定手段が前記各アンカー部材を前記第１および第２固定位置に固定するために前記アンカー部材の縦軸を横断して設けられていることを特徴とする顎部模型。
【請求項２】
アンカー部材（2;27）が、２つの固定位置にそれぞれ対応する２つの限界停止部(20,25;32,38)を備えていることを特徴とする請求項1記載の顎部模型。
【請求項３】
固定ピン(19;28)が本体の正面に突出する作動ボタン(3)を備えていることを特徴とする請求項１又は２記載の顎部模型。
【請求項４】
アンカー部材（2;27）の長手方向の軸と、固定ピン(19;28)の長手方向の軸とが直交していることを特徴とする請求項２又は３項記載の顎部模型。
【請求項５】
固定ピン(19;28)が環状凹部(17;33)を備え、その環状凹部の領域(18;34)をアンカー部材の溝部(24;35)に嵌合させ、アンカー部材(2;27)を軸方向に移動できるようにしたことを特徴とする請求項２〜４のいずれか１項記載の顎部模型。
【請求項６】
固定ピン(19;28)の環状凹部(17;33)に隣接する端部に、限界停止点(20,25;32,38)と嵌合する頭部(22；30)を設けたことを特徴とする請求項５記載の顎部模型。
【請求項７】
溝部(35)をアンカー部材(27)内に設けたことを特徴とする請求項５又は６記載の顎部模型。
【請求項８】
固定ピン(28)の軸にスプリングを設け、スプリングの復原力に抗して固定ピンを軸方向に移動させることができることを特徴とする請求項７記載の顎部模型。
【請求項９】
アンカー部材(27)の溝部(35)の上部に、固定ピン(28)の頭部(30)が通る横空孔(31)を設けたことを特徴とする請求項７又は８記載の顎部模型。
【請求項１０】
案内溝穴(16)が、アンカー部材(2)の基底部を収納するスリーブ(15)に設けられていることを特徴とする請求項５又は６記載の顎部模型。
【請求項１１】
アンカー部材(2)が、スリーブ(15)内に収まる基底部(7)と、これにネジ止めされるキャップ(8)とで構成されることを特徴とする請求項１０記載の顎部模型。
【請求項１２】
キャップ(8)が、スリーブ(15)を空孔(10)内の所定の位置に固定する役割を果たすことを特徴とする請求項１１記載の顎部模型。
【発明の詳細な説明】
【０００１】
【発明の属する技術分野】
本発明は、歯科の実地教育で使用される顎部模型に関するものであって、さらに詳しくは、歯列弓に模して設計された模型本体に、模造歯根として使用できる合釘（ポスト）状のアンカー部材を収容する複数個の空孔を設けた顎部模型に係る。
【０００２】
【従来の技術】
上記したタイプの顎部模型は、ＷＯ ８４/０３９７８で知られているが、その顎部模型では、歯科補綴作業の種類によっては、既に製品に取り付けられている合釘やこれから製品に取り付けようとする合釘は、模型本体の口腔側から本体に設けた空孔に挿入される。この模型では、合釘、合釘に取り付けられた義歯、橋義歯（ブリッジ）などの取り外しを容易にするため、空孔は通し孔であり、合釘は口腔側と反対側の空孔縁部から飛び出すくらいの長さに作成されている。従って、空孔から飛び出した合釘の端部に、必要に応じて力を加えることができる。
米国特許第４,８４０,５６５号明細書には、歯科補綴製品が既設された合釘を空孔内に固定できる顎部模型が教示されている。この模型では、合釘に横穴が設けられ、この横穴に固定ピンを挿入することで、歯列弓の所望の位置に補綴製品を固定している。しかし、この模型も、前述した顎部模型と同様、空孔は通し孔であり、合釘の長さも着脱を容易にするために長い。
このように、公知の顎部模型は完全には満足できるものではない。合釘の着脱が簡単であると言うことは、合釘又はこれにしっかり接合された補綴製品の遺失を招く虞がある。
【０００３】
【発明が解決しようとする課題】
本発明は、上顎又は下顎に補綴歯を固定する様々な方法を、簡便に、迅速に、且つ明確に提示するのに役立つ一般的な顎部模型を提供することを目的とする。
【０００４】
【課題を解決するための手段】
本発明に係る顎部模型は、口腔内の作業を実地説明するために利用される顎部模型であって、模造歯根として使用できる合釘形状のアンカー部材を収納できる複数個の空孔を設けて歯列弓に模した本体を有し、前記アンカー部材の端部が本体表面と同一面となる第１固定位置と、当該端部が本体表面より突出する第２固定位置との間をスプリングの作用で移動可能なアンカー部材を、前記空孔内に離脱しないよう設置したことを特徴とする。
本発明の顎部模型は、その使い方が極めて容易であって、患者への歯科補綴の説明に使用する模型として、あるいはまた、学生及び歯科専門家を訓練するための模型として適している。その簡便さ故に、本発明の顎部模型は、最適療法の選択を可能にする。
【０００５】
【発明の実施の態様】
図面に示した２つの実施態様にて、本発明をさらに詳しく説明する。
図面において、符号１は、複数個のアンカー部材２を備えた模型本体を示し、アンカー部材２は作動ボタン３により、非突出状態の第１固定位置（図１参照）から突出状態の第２固定位置（図２参照）に移動させることができる。第１固定位置では、アンカー部材の端部は顎部の歯列弓を模した模型本体と同一面にあり、一方、第２固定位置では、アンカー部材の端部が、歯根又はインプラントの端部のように、模型本体の表面から突出した状態にある。図３は橋義歯（ブリッジ）４及び単独の義歯５を取り付けるための配置を示し、図４は義歯床を持たない総義歯を取り付ける状況を示す。
アンカー部材２の構造及び配置の詳細は、図５〜図１４で明らかにされている。
図５〜図８に示されるアンカー部材２は、基底部７とキャップ８を備え、キャップは基底部の上端にネジ９で固定されている。模型本体１には、各アンカー部材を収容するための空孔１０が設けられ、空孔１０の底１１と基底部７のフランジ１２との間には、空孔１０からアンカー部材２を突出するように当該部材を圧迫するスプリング１４が、ロッド１３を内包して設けられている。基底部７の下端側はスリーブ１５内に案内され、スリーブ１５はキャップ８によって空孔１０内に保持される。スリーブ１５は案内溝穴１６を有し、その幅は固定ピン１９の環状凹部１７の領域１８の直径より僅かに大きい。
固定ピン１９がアンカー部材２をその第１限界停止点２０で支えた際には、アンカー部材２は第１固定位置に保持される（図５参照）。固定ピン１９をアンカー部材２の縦軸に直角に、すなわち、矢印２１の方向に動かし、固定ピンの頭部２２を第１限界停止点から抜き出すと、スプリング１４はアンカー部材２を矢印２３の方向に押し上げる（図６参照）。アンカー部材２が上昇する程度は、溝部２４の長さ（高さ）で制限され、溝部２４の底部には、アンカー部材の第２固定位置を決める第２限界停止点がある。固定ピン１９を矢印２６の方向に移動させて当初の位置に戻すことにより、アンカー部材２は第２固定位置に保持される。
【０００６】
アンカー部材２の固定ピン１９を引張りピンとした場合の第２の実施例は、図９〜図１４に示される。この実施例では、アンカー部材２７が引張りピンとして設計された固定ピン２８で固定される。第２実施例のアンカー部材２７は、一体品として作成されており、先の実施例のようなキャップを持たず、本体１の空孔１０に直接案内される。組み立てに際しては、アンカー部材２７の横空孔３１内に、固定ピン２８の頭部３０が通る位置まで、心棒（マンドレル）２９にてアンカー部材２７をスプリング１４の力に抗して空孔１０内に押し込む。そして、固定ピン２８の頭部３０がアンカー部材の横空孔３１に通ると、スプリング１４がアンカー部材２７を図１０に示す位置に押し上げ、頭部３０は第１限界停止点３２に達してアンカー部材が支えられる。この場合、固定ピン２８に設けた環状凹部３３の領域３４は、溝部３５内に位置している。スプリング３６の復原力に抗して固定ピン２８が矢印３７の方向に押されると、アンカー部材２７はスプリング１４の作用を受けて図１２に示す固定位置まで上昇し（図１１参照）、頭部３０はアンカー部材２７を第２限界停止点３８で固定する。
【図面の簡単な説明】
【図１】全てのアンカー部材が埋没状態にある顎部模型の斜視図である。
【図２】全てのアンカー部材が突出状態にある図１と同様な顎部模型の斜視図である。
【図３】単独の義歯及び橋義歯を取り付けるための３つのアンカー部材が突出した状態を示す図１と同様な顎部模型の斜視図である。
【図４】総義歯を取り付けるための４つのアンカー部材が突出した状態を示す図１と同様な顎部模型の斜視図である。
【図５】図４のＶ−Ｖ線での拡大断面図である。
【図６】アンカー部材が突出途中の中間位置にある図５と同じ拡大断面図である。
【図７】アンカー部材が突出状態にある図５と同じ拡大断面図である
【図８】図５〜図７の各部材を示す透視分解組立図である。
【図９】アンカー部材の取り付け過程にある第２実施例を示す図５と同じ拡大断面図である。
【図１０】アンカー部材が第１固定位置にある状態を示す図９と同じ拡大断面図である。
【図１１】アンカー部材が模型から突出する状態を示す図９と同じ拡大断面図である。
【図１２】アンカー部材が第２固定位置にある状態を示す図９と同じ拡大断面図である。
【図１３】図９〜図１２に示すアンカー部材の透視図である。
【図１４】図１３の矢印ＸＩＶの方向から見た部分透視図である。
【符号の説明】
１  模型本体
２、27  アンカー部材
３  作動ボタン
７  アンカー部材の基底部
８  キャップ
10  空孔
14  スプリング
15  スリーブ
16  案内溝穴
17  環状凹部
19  固定ピン
20,32  第1限界停止点
24,  アンカー部材の溝部
25,38  第2限界停止点
28  固定ピン（引張りピン）
【図１】
0003745580.tif 000002
【図２】
0003745580.tif 000003
【図３】
0003745580.tif 000004
【図４】
0003745580.tif 000005
【図５】
0003745580.tif 000006
【図６】
0003745580.tif 000007
【図７】
0003745580.tif 000008
【図８】
0003745580.tif 000009
【図９】
0003745580.tif 000010
【図１０】
0003745580.tif 000011
【図１１】
0003745580.tif 000012
【図１２】
0003745580.tif 000013
【図１３】
0003745580.tif 000014
【図１４】
0003745580.tif 000015